(57)【要約】      （修正有）【課題】セルラ通信及びＷＬＡＮ通信をサポートするユーザ端末によって行われるアクセスポイント発見処理を効率化するための通信制御方法及びユーザ端末を提供する。【解決手段】ユーザ端末は、セルラ基地局のカバレッジ内に設けられたアクセスポイントを効率的に発見するための補助情報をセルラ基地局からブロードキャスト受信し、アクセスポイントへトラフィック負荷を移行するオフロードを行う場合に、前記補助情報をアクセスポイント発見処理に適用する。【選択図】図１１
2018129855.tif 000002
【特許請求の範囲】
【請求項１】
セルラＲＡＮ及びＷＬＡＮの中からユーザ端末がトラフィックを送受信すべきアクセスネットワークを選択するネットワーク選択動作を制御するための通信制御方法であって、
ＡＮＤＳＦにより提供されるＡＮＤＳＦ情報を利用可能な前記ユーザ端末が、前記ＡＮＤＳＦ情報だけでなく、前記セルラＲＡＮにより提供されるアクセスネットワーク選択補助情報を用いて前記ネットワーク選択動作を行うステップと、
前記ユーザ端末が、前記セルラＲＡＮのセルラ基地局からブロードキャストで送信される前記アクセスネットワーク選択補助情報に含まれ、前記ユーザ端末が前記ネットワーク選択動作に用いるＷＬＡＮ識別子を受信するステップと、
前記ユーザ端末が、前記アクセスネットワーク選択補助情報を記憶するステップと、
前記ユーザ端末が、前記ＡＮＤＳＦを利用可能であっても、前記ＷＬＡＮ識別子を前記ネットワーク選択動作に用いるステップと、
前記ユーザ端末が、前記セルラ基地局からブロードキャストで送信される前記アクセスネットワーク選択補助情報が更新されると、前記記憶したアクセスネットワーク選択補助情報を更新するステップと、を含み、
前記ＷＬＡＮ識別子は、ＳＳＩＤ及びＢＳＳＩＤの少なくとも１つを含むことを特徴とする通信制御方法。
【請求項２】
セルラＲＡＮ及びＷＬＡＮの中からトラフィックを送受信すべきアクセスネットワークを選択するネットワーク選択動作を制御する制御部を備え、
前記制御部は、
ＡＮＤＳＦにより提供されるＡＮＤＳＦ情報を利用可能な場合において、前記ＡＮＤＳＦ情報だけでなく、前記セルラＲＡＮにより提供されるアクセスネットワーク選択補助情報を用いて前記ネットワーク選択動作を行う処理と、
前記セルラＲＡＮのセルラ基地局からブロードキャストで送信される前記アクセスネットワーク選択補助情報に含まれ、ユーザ端末が前記ネットワーク選択動作に用いるＷＬＡＮ識別子を受信する処理と、
前記アクセスネットワーク選択補助情報を記憶する処理と、
前記ＡＮＤＳＦを利用可能であっても、前記ＷＬＡＮ識別子を前記ネットワーク選択動作に用いる処理と、
前記セルラ基地局からブロードキャストで送信される前記アクセスネットワーク選択補助情報が更新されると、前記記憶したアクセスネットワーク選択補助情報を更新する処理と、を実行し、
前記ＷＬＡＮ識別子は、ＳＳＩＤ及びＢＳＳＩＤの少なくとも１つを含むことを特徴とするユーザ端末。
【請求項３】
セルラＲＡＮ及びＷＬＡＮの中からトラフィックを送受信すべきアクセスネットワークを選択するネットワーク選択動作を制御するユーザ端末のプロセッサであって、
ＡＮＤＳＦにより提供されるＡＮＤＳＦ情報を利用可能な場合において、前記ＡＮＤＳＦ情報だけでなく、前記セルラＲＡＮにより提供されるアクセスネットワーク選択補助情報を用いて前記ネットワーク選択動作を行う処理と、
前記セルラＲＡＮのセルラ基地局からブロードキャストで送信される前記アクセスネットワーク選択補助情報に含まれ、前記ユーザ端末が前記ネットワーク選択動作に用いるＷＬＡＮ識別子を受信する処理と、
前記アクセスネットワーク選択補助情報を記憶する処理と、
前記ＡＮＤＳＦを利用可能であっても、前記ＷＬＡＮ識別子を前記ネットワーク選択動作に用いる処理と、
前記セルラ基地局からブロードキャストで送信される前記アクセスネットワーク選択補助情報が更新されると、前記記憶したアクセスネットワーク選択補助情報を更新する処理と、を実行し、
前記ＷＬＡＮ識別子は、ＳＳＩＤ及びＢＳＳＩＤの少なくとも１つを含むことを特徴とするプロセッサ。
【発明の詳細な説明】
【技術分野】
【０００１】
本発明は、無線ＬＡＮシステム（ＷＬＡＮシステム）と連携可能なセルラ通信システムにおいて用いられる通信制御方法に関する。
【背景技術】
【０００２】
近年、セルラ通信部及びＷＬＡＮ通信部を有するユーザ端末（いわゆる、デュアル端末）の普及が進んでいる。また、セルラ通信システムのオペレータにより管理されるＷＬＡＮアクセスポイント（以下、単に「アクセスポイント」という）が増加している。
【０００３】
そこで、セルラ通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムとＷＬＡＮシステムとの無線アクセスネットワーク（ＲＡＮ）レベルの連携を強化できる技術が検討される予定である（非特許文献１参照）。
【０００４】
このような技術の目的の一つは、アクセスポイントの使用率を向上させることにより、セルラ基地局及びアクセスポイントで負荷レベルのバランスをとることである。
【０００５】
一方で、ユーザ端末によるアクセスポイント発見処理を効率化するために、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）の標準化が進められている。
【０００６】
ＡＮＤＳＦでは、コアネットワークに設けられたＡＮＤＳＦサーバが、ＮＡＳ（Ｎｏｎ  Ａｃｃｅｓｓ  Ｓｔｒａｔｕｍ）メッセージにより、ＷＬＡＮに関する情報をユーザ端末に提供する。
【先行技術文献】
【非特許文献】
【０００７】
【非特許文献１】３ＧＰＰ寄書  ＲＰ−１２０１４５５
【発明の概要】
【０００８】
しかしながら、ＡＮＤＳＦはオプション機能であり、必ずしも全てのユーザ端末がＡＮＤＳＦを利用可能であるとは限らない。
【０００９】
また、ＡＮＤＳＦは、ＮＡＳの機能であり、ＷＬＡＮに関する基本的な情報を提供するだけである。
【００１０】
従って、従来の技術には、ユーザ端末によるアクセスポイント発見処理を効率化する点において、改良の余地があった。
【００１１】
そこで、本発明は、ユーザ端末によるアクセスポイント発見処理をさらに効率化することを目的とする。
【００１２】
第１の特徴に係る通信制御方法は、セルラ通信及びＷＬＡＮ通信をサポートするユーザ端末によって行われるアクセスポイント発見処理を制御するための方法である。前記通信制御方法は、セルラ基地局のカバレッジ内に設けられたアクセスポイントを効率的に発見するための補助情報を前記セルラ基地局からブロードキャストで送信するステップＡと、前記アクセスポイントへトラフィック負荷を移行するオフロードを行う場合に、前記補助情報を前記アクセスポイント発見処理に適用するよう前記ユーザ端末に要求するためのオフロード通知情報を、前記セルラ基地局からブロードキャストで送信するステップＢと、を含む。
【００１３】
第２の特徴に係る通信制御方法は、セルラ通信及びＷＬＡＮ通信をサポートするユーザ端末によって行われるアクセスポイント発見処理を制御するための方法である。前記通信制御方法は、前記ユーザ端末が、セルラ基地局のカバレッジ内に設けられたアクセスポイントを効率的に発見するための補助情報の送信を要求するための要求情報を前記セルラ基地局に送信するステップＡと、前記要求情報を受信した前記セルラ基地局が、前記補助情報をユニキャストで前記ユーザ端末に送信するステップＢと、を含む。
【００１４】
第３の特徴に係る通信制御方法は、セルラＲＡＮ及び無線ＬＡＮの中からユーザ端末のトラフィックを送受信すべきアクセスネットワークを選択するためのネットワーク選択動作を制御する方法である。前記ユーザ端末は、前記セルラＲＡＮで予め規定された選択規則であるＲＡＮ規則、ＡＮＤＳＦにより提供される選択規則であるＡＮＤＳＦ規則のうち、少なくとも一方を前記ネットワーク選択動作に適用する。前記通信制御方法は、前記ＡＮＤＳＦに関する可用性を示すＡＮＤＳＦ可用性情報を前記ユーザ端末から前記セルラＲＡＮに通知するステップＡと、前記ＡＮＤＳＦ可用性情報に基づいて、前記ネットワーク選択動作に利用されるＲＡＮ補助情報を前記セルラＲＡＮから送信するステップＢと、前記ユーザ端末が、前記ＲＡＮ補助情報に基づいて前記ネットワーク選択動作を行うステップＣと、を有する。
【００１５】
第４の特徴に係る通信制御方法は、セルラＲＡＮ及び無線ＬＡＮの中からユーザ端末のトラフィックを送受信すべきアクセスネットワークを選択するためのネットワーク選択動作を制御する方法である。前記ユーザ端末は、前記セルラＲＡＮで予め規定された選択規則であるＲＡＮ規則、ＡＮＤＳＦにより提供される選択規則であるＡＮＤＳＦ規則のうち、少なくとも一方を前記ネットワーク選択動作に適用している。前記通信制御方法は、前記ＲＡＮ規則に適用されるＲＡＮ補助情報及び前記ＡＮＤＳＦ規則に適用されるＲＡＮ補助情報の両方を前記セルラＲＡＮからブロードキャストで送信するステップＡと、前記ユーザ端末が、前記ＲＡＮ補助情報に基づいて前記ネットワーク選択動作を行うステップＢと、を有する。
【００１６】
第５の特徴に係る通信制御方法は、セルラＲＡＮ及び無線ＬＡＮの中からユーザ端末のトラフィックを送受信すべきアクセスネットワークを選択するためのネットワーク選択動作を制御する方法である。前記通信制御方法は、訪問先セルラＲＡＮに在圏するローミング端末が、非ローミング端末の加入者クラスに応じて前記非ローミング端末にトラフィックステアリングを行わせるオフロード指示子を前記訪問先セルラＲＡＮから受信するステップＡと、前記ローミング端末が、前記訪問先セルラから受信した前記オフロード指示子を無視するステップＢと、を有する。
【００１７】
第６の特徴に係る通信制御方法は、セルラＲＡＮ及び無線ＬＡＮの中からユーザ端末のトラフィックを送受信すべきアクセスネットワークを選択するためのネットワーク選択動作を制御する方法である。前記通信制御方法は、前記ユーザ端末が、ホームネットワークに在圏する場合に、前記ホームネットワークのＡＮＤＳＦ又はエンハンストＡＮＤＳＦから提供されるＷＬＡＮ識別子を前記ネットワーク選択動作に使用するステップＡと、前記ユーザ端末が、訪問先ネットワークに在圏する場合に、前記訪問先ネットワークのセルラＲＡＮから提供されるＷＬＡＮ識別子を前記ネットワーク選択動作に使用するステップＢと、を有する。
【図面の簡単な説明】
【００１８】
【図１】第１実施形態乃至第３実施形態に係るシステム構成図である。
【図２】第１実施形態乃至第３実施形態に係るＵＥ（ユーザ端末）のブロック図である。
【図３】第１実施形態乃至第３実施形態に係るｅＮＢ（セルラ基地局）のブロック図である。
【図４】第１実施形態乃至第３実施形態に係るＡＰ（アクセスポイント）のブロック図である。
【図５】ＬＴＥシステムにおける無線インターフェイスのプロトコルスタック図である。
【図６】第１実施形態乃至第３実施形態に係る動作環境を説明するための図である。
【図７】第１実施形態乃至第３実施形態に係るＡＮＤＳＦ情報を説明するための図である。
【図８】第１実施形態乃至第３実施形態に係るＲＡＮレベル補助情報を説明するための図である。
【図９】第１実施形態に係るオフロード通知情報を説明するための図である。
【図１０】第１実施形態の動作パターン１及び２におけるｅＮＢの動作フロー図である。
【図１１】第１実施形態の動作パターン１におけるＵＥの動作フロー図である。
【図１２】第１実施形態の動作パターン２におけるＵＥの動作フロー図である。
【図１３】第２実施形態の動作パターン１におけるシーケンス図である。
【図１４】第２実施形態の動作パターン２におけるシーケンス図である。
【図１５】第２実施形態の動作パターン３におけるシーケンス図である。
【図１６】第３実施形態に係る通信制御方法を示す図である。
【図１７】第３実施形態に係るローミングシナリオを示す図である。
【発明を実施するための形態】
【００１９】
［実施形態の概要］
第１実施形態に係る通信制御方法は、セルラ通信及びＷＬＡＮ通信をサポートするユーザ端末によって行われるアクセスポイント発見処理を制御するための方法である。前記通信制御方法は、セルラ基地局のカバレッジ内に設けられたアクセスポイントを効率的に発見するための補助情報を前記セルラ基地局からブロードキャストで送信するステップＡと、前記アクセスポイントへトラフィック負荷を移行するオフロードを行う場合に、前記補助情報を前記アクセスポイント発見処理に適用するよう前記ユーザ端末に要求するためのオフロード通知情報を、前記セルラ基地局からブロードキャストで送信するステップＢと、を含む。
【００２０】
第１実施形態では、前記通信制御方法は、前記補助情報に興味を持たない前記ユーザ端末であっても、前記オフロード通知情報を受信した場合には、前記補助情報を前記アクセスポイント発見処理に適用するステップＣをさらに含む。
【００２１】
第１実施形態では、前記補助情報に興味を持たない前記ユーザ端末とは、ＡＮＤＳＦサーバにより管理されているＷＬＡＮ関連情報を利用できるユーザ端末である。
【００２２】
第１実施形態の動作パターン１では、前記ステップＣは、前記セルラ基地局からの前記補助情報を前記アクセスポイント発見処理に適用することなく記憶するステップと、前記セルラ基地局から前記オフロード通知情報を受信した場合に、前記記憶している補助情報を前記アクセスポイント発見処理に適用するステップと、を含む。
【００２３】
第１実施形態の動作パターン２では、前記ステップＣは、前記セルラ基地局から前記オフロード通知情報を受信した場合に、前記セルラ基地局から前記補助情報を受信するステップと、前記受信した補助情報を前記アクセスポイント発見処理に適用するステップと、を含む。
【００２４】
第１実施形態では、前記通信制御方法は、前記補助情報に興味を持つ前記ユーザ端末が、前記オフロード通知情報を受信しなくても、前記補助情報を前記アクセスポイント発見処理に適用するステップＤをさらに含む。
【００２５】
第１実施形態では、前記通信制御方法は、前記セルラ基地局が、前記オフロードを停止する場合に、前記オフロード通知情報の送信を停止するステップＥをさらに含む。
【００２６】
第１実施形態では、前記通信制御方法は、前記補助情報に興味を持たない前記ユーザ端末が、前記オフロード通知情報の送信停止を検知した場合に、前記アクセスポイント発見処理への前記補助情報の適用を中止するステップＦをさらに含む。
【００２７】
第１実施形態では、前記補助情報は、前記アクセスポイントの識別子、前記アクセスポイントの位置情報、前記アクセスポイントのチャンネル情報、のうち少なくとも１つを含む。
【００２８】
第２実施形態に係る通信制御方法は、セルラ通信及びＷＬＡＮ通信をサポートするユーザ端末によって行われるアクセスポイント発見処理を制御するための方法である。前記通信制御方法は、前記ユーザ端末が、セルラ基地局のカバレッジ内に設けられたアクセスポイントを効率的に発見するための補助情報の送信を要求するための要求情報を前記セルラ基地局に送信するステップＡと、前記要求情報を受信した前記セルラ基地局が、前記補助情報をユニキャストで前記ユーザ端末に送信するステップＢと、を含む。
【００２９】
第２実施形態の動作パターン１では、前記ステップＡにおいて、ＡＮＤＳＦをサポートする前記ユーザ端末は、前記ＡＮＤＳＦをサポートすることを示す能力情報を前記要求情報と共に前記セルラ基地局に送信する。前記ステップＢにおいて、前記要求情報と共に前記能力情報を受信した前記セルラ基地局は、前記補助情報のうち、ＡＮＤＳＦサーバから提供されるＷＬＡＮ関連情報に含まれていない部分を前記ユーザ端末に送信する。
【００３０】
第２実施形態の動作パターン２では、前記ステップＡにおいて、ＡＮＤＳＦをサポートする前記ユーザ端末は、前記補助情報のうち、ＡＮＤＳＦサーバから提供されるＷＬＡＮ関連情報に含まれていない部分を示す要求項目を前記要求情報と共に前記セルラ基地局に送信する。前記ステップＢにおいて、前記要求情報と共に前記要求項目を受信した前記セルラ基地局は、前記補助情報のうち、前記要求項目に対応する部分を前記ユーザ端末に送信する。
【００３１】
第２実施形態の動作パターン３では、前記通信制御方法は、ＡＮＤＳＦをサポートする前記ユーザ端末が、前記セルラ基地局から受信した前記補助情報を、ＡＮＤＳＦサーバから提供されるＷＬＡＮ関連情報よりも優先的に前記アクセスポイント発見処理に適用するステップＣをさらに含む。
【００３２】
第２実施形態では、前記通信制御方法は、前記セルラ基地局が、前記アクセスポイントにおける負荷レベルに応じて、新たな補助情報をユニキャストで前記ユーザ端末に送信するステップＤと、前記新たな補助情報を受信した前記ユーザ端末が、前記補助情報に代えて、前記新たな補助情報を前記アクセスポイント発見処理に適用するステップＥと、をさらに含む。
【００３３】
第２実施形態の変更例では、前記通信制御方法は、前記セルラ基地局が、隣接セルラ基地局への前記ユーザ端末のハンドオーバを行う場合に、前記補助情報の送信を要求する前記ユーザ端末であることを示す端末関連情報を前記隣接セルラ基地局に送信するステップＦをさらに含む。
【００３４】
第２実施形態の変更例では、前記通信制御方法は、前記隣接セルラ基地局が、前記ユーザ端末が前記隣接セルラ基地局に接続した際、前記端末関連情報に基づいて、前記隣接セルラ基地局のカバレッジ内に設けられたアクセスポイントを効率的に発見するための補助情報を前記ユーザ端末に送信するステップＧをさらに含む。
【００３５】
第２実施形態では、前記補助情報は、前記アクセスポイントの識別子、前記アクセスポイントの位置情報、前記アクセスポイントのチャンネル情報、のうち少なくとも１つを含む。
【００３６】
第３実施形態に係る通信制御方法は、セルラＲＡＮ及び無線ＬＡＮの中からユーザ端末のトラフィックを送受信すべきアクセスネットワークを選択するためのネットワーク選択動作を制御する方法である。前記ユーザ端末は、前記セルラＲＡＮで予め規定された選択規則であるＲＡＮ規則、ＡＮＤＳＦにより提供される選択規則であるＡＮＤＳＦ規則のうち、少なくとも一方を前記ネットワーク選択動作に適用する。前記通信制御方法は、前記ＡＮＤＳＦに関する可用性を示すＡＮＤＳＦ可用性情報を前記ユーザ端末から前記セルラＲＡＮに通知するステップＡと、前記ＡＮＤＳＦ可用性情報に基づいて、前記ネットワーク選択動作に利用されるＲＡＮ補助情報を前記セルラＲＡＮから送信するステップＢと、前記ユーザ端末が、前記ＲＡＮ補助情報に基づいて前記ネットワーク選択動作を行うステップＣと、を有する。
【００３７】
第３実施形態では、前記ＡＮＤＳＦ可用性情報は、前記ユーザ端末が前記ＡＮＤＳＦを使用できるか否かに関する情報である。
【００３８】
第３実施形態では、前記ＡＮＤＳＦ可用性情報は、前記ユーザ端末が使用できる前記ＡＮＤＳＦが、前記ＲＡＮ補助情報を適用可能なエンハンストＡＮＤＳＦであるか否かに関する情報を含む。
【００３９】
第３実施形態では、前記ユーザ端末が前記ＡＮＤＳＦを使用できるか否かに基づいて、ＷＬＡＮアクセスポイントに関する識別子を前記セルラＲＡＮから前記ユーザ端末に提供するか否かを判断するステップをさらに有する。
【００４０】
第３実施形態では、前記ステップＡにおいて、前記ユーザ端末は、前記ＡＮＤＳＦ可用性情報を端末能力情報の一部として前記セルラＲＡＮに通知する。
【００４１】
第３実施形態では、前記ステップＡにおいて、前記ユーザ端末は、前記セルラＲＡＮからの要求に応じて前記ＡＮＤＳＦ可用性情報を前記セルラＲＡＮに通知する。
【００４２】
第３実施形態では、前記ステップＡにおいて、前記ユーザ端末は、前記ＡＮＤＳＦを使用できない場合又は前記エンハンストＡＮＤＳＦを使用できない場合にのみ、前記ＡＮＤＳＦ可用性情報を前記セルラＲＡＮに通知する。
【００４３】
第３実施形態では、前記ステップＢにおいて、全ての対象ユーザ端末が前記エンハンストＡＮＤＳＦをサポートする場合に、前記ＲＡＮ規則にのみ適用される第１のＲＡＮ補助情報を送信しない。
【００４４】
第３実施形態では、前記ステップＢにおいて、全ての対象ユーザ端末が前記エンハンストＡＮＤＳＦを使用できない場合に、前記ＡＮＤＳＦ規則にのみ適用される第２のＲＡＮ補助情報を送信しない。
【００４５】
第３実施形態では、前記ステップＢは、前記ＲＡＮ規則及び前記ＡＮＤＳＦ規則に共通に適用される共通ＲＡＮ補助情報をブロードキャストで送信するステップと、前記ＡＮＤＳＦ可用性情報に基づいて、前記ＲＡＮ規則にのみ適用される第１のＲＡＮ補助情報又は前記ＡＮＤＳＦ規則にのみ適用される第２のＲＡＮ補助情報を送信するステップと、を含む。
【００４６】
第３実施形態では、前記ＡＮＤＳＦ可用性情報は、前記ユーザ端末のホームＡＮＤＳＦを示す情報を含む。
【００４７】
第３実施形態では、前記ホームＡＮＤＳＦに対応するホームネットワークと前記セルラＲＡＮとが異なるローミング状態であるか否かに基づいて、ＷＬＡＮアクセスポイントに関する識別子を前記セルラＲＡＮから前記ユーザ端末に提供するか否かを判断するステップをさらに有する。
【００４８】
第３実施形態では、前記ステップＣは、前記ＲＡＮ規則を適用して前記アクセスネットワークを選択するステップと、前記選択されたアクセスネットワークについて、さらに前記ＡＮＤＳＦ規則を適用してネットワーク選択を行うステップと、を有する。
【００４９】
第３実施形態に係る通信制御方法は、セルラＲＡＮ及び無線ＬＡＮの中からユーザ端末のトラフィックを送受信すべきアクセスネットワークを選択するためのネットワーク選択動作を制御する方法である。前記ユーザ端末は、前記セルラＲＡＮで予め規定された選択規則であるＲＡＮ規則、ＡＮＤＳＦにより提供される選択規則であるＡＮＤＳＦ規則のうち、少なくとも一方を前記ネットワーク選択動作に適用している。前記通信制御方法は、前記ＲＡＮ規則に適用されるＲＡＮ補助情報及び前記ＡＮＤＳＦ規則に適用されるＲＡＮ補助情報の両方を前記セルラＲＡＮからブロードキャストで送信するステップＡと、前記ユーザ端末が、前記ＲＡＮ補助情報に基づいて前記ネットワーク選択動作を行うステップＢと、を有する。
【００５０】
第３実施形態に係る通信制御方法は、セルラＲＡＮ及び無線ＬＡＮの中からユーザ端末のトラフィックを送受信すべきアクセスネットワークを選択するためのネットワーク選択動作を制御する方法である。前記通信制御方法は、訪問先セルラＲＡＮに在圏するローミング端末が、非ローミング端末の加入者クラスに応じて前記非ローミング端末にトラフィックステアリングを行わせるオフロード指示子を前記訪問先セルラＲＡＮから受信するステップＡと、前記ローミング端末が、前記訪問先セルラＲＡＮから受信した前記オフロード指示子を無視するステップＢと、を有する。
【００５１】
第３実施形態では、前記ステップＢにおいて、前記ローミング端末は、前記オフロード指示子を無視するように、前記加入者クラスの最高クラス又は最低クラスとして振る舞う。
【００５２】
第３実施形態に係る通信制御方法は、セルラＲＡＮ及び無線ＬＡＮの中からユーザ端末のトラフィックを送受信すべきアクセスネットワークを選択するためのネットワーク選択動作を制御する方法である。前記通信制御方法は、前記ユーザ端末が、ホームネットワークに在圏する場合に、前記ホームネットワークのＡＮＤＳＦ又はエンハンストＡＮＤＳＦから提供されるＷＬＡＮ識別子を前記ネットワーク選択動作に使用するステップＡと、前記ユーザ端末が、訪問先ネットワークに在圏する場合に、前記訪問先ネットワークのセルラＲＡＮから提供されるＷＬＡＮ識別子を前記ネットワーク選択動作に使用するステップＢと、を有する。
【００５３】
第３実施形態では、前記ステップＡにおいて、前記ユーザ端末は、前記ホームネットワークのセルラＲＡＮから提供されるＷＬＡＮ識別子を無視する。
【００５４】
第３実施形態では、前記ステップＢにおいて、前記ユーザ端末は、前記ホームネットワークにより決定されたポリシーに基づいて、前記訪問先ネットワークのセルラＲＡＮから提供されるＷＬＡＮ識別子を前記ネットワーク選択動作に使用する。
【００５５】
［第１実施形態］
以下、図面を参照して、３ＧＰＰ規格に準拠して構成されるセルラ通信システム（ＬＴＥシステム）を無線ＬＡＮ（ＷＬＡＮ）システムと連携させる場合の実施形態を説明する。
【００５６】
（システム構成）
図１は、第１実施形態に係るシステム構成図である。図１に示すように、セルラ通信システムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は、無線アクセスネットワーク（ＲＡＮ）に相当する。ＥＰＣ２０は、コアネットワークに相当する。
【００５７】
ＵＥ１００は、移動型の無線通信装置であり、接続を確立したセルとの無線通信を行う。ＵＥ１００はユーザ端末に相当する。ＵＥ１００は、セルラ通信及びＷＬＡＮ通信の両通信方式をサポートする端末（デュアル端末）である。
【００５８】
Ｅ−ＵＴＲＡＮ１０は、複数のｅＮＢ２００（ｅｖｏｌｖｅｄ  Ｎｏｄｅ−Ｂ）を含む。ｅＮＢ２００はセルラ基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。また、ｅＮＢ２００は、例えば、無線リソース管理（ＲＲＭ）機能と、ユーザデータのルーティング機能と、モビリティ制御及びスケジューリングのための測定制御機能と、を有する。
【００５９】
ｅＮＢ２００は、Ｘ２インターフェイスを介して相互に接続される。また、ｅＮＢ２００は、Ｓ１インターフェイスを介して、ＥＰＣ２０に含まれるＭＭＥ／Ｓ−ＧＷ５００と接続される。
【００６０】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００６１】
ＷＬＡＮシステムは、ＷＬＡＮアクセスポイント（以下、「ＡＰ」と称する）３００を含む。ＷＬＡＮシステムは、例えばＩＥＥＥ  ８０２．１１諸規格に準拠して構成される。ＡＰ３００は、セルラ周波数帯とは異なる周波数帯（ＷＬＡＮ周波数帯）でＵＥ１００との通信を行う。ＡＰ３００は、ルータなどを介してＥＰＣ２０に接続される。
【００６２】
また、ｅＮＢ２００及びＡＰ３００が個別に配置される場合に限らず、ｅＮＢ２００及びＡＰ３００が同じ場所に配置（Ｃｏｌｌｏｃａｔｅｄ）されていてもよい。Ｃｏｌｌｏｃａｔｅｄの一形態として、ｅＮＢ２００及びＡＰ３００がオペレータの任意のインターフェイスで直接的に接続されていてもよい。
【００６３】
ＥＰＣ２０は、ＡＮＤＳＦサーバ６００をさらに含む。ＡＮＤＳＦサーバ６００は、ＷＬＡＮに関する情報（以下、「ＡＮＤＳＦ情報」という）を管理する。ＡＮＤＳＦサーバ６００は、ＮＡＳメッセージにより、ＷＬＡＮ関連情報をＵＥ１００に提供する。
【００６４】
次に、ＵＥ１００、ｅＮＢ２００、及びＡＰ３００の構成を説明する。
【００６５】
図２は、ＵＥ１００のブロック図である。図２に示すように、ＵＥ１００は、アンテナ１０１及び１０２と、セルラ通信部１１１と、ＷＬＡＮ通信部１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００６６】
アンテナ１０１及びセルラ通信部１１１は、セルラ無線信号の送受信に用いられる。セルラ通信部１１１は、プロセッサ１６０が出力するベースバンド信号をセルラ無線信号に変換してアンテナ１０１から送信する。また、セルラ通信部１１１は、アンテナ１０１が受信するセルラ無線信号をベースバンド信号に変換してプロセッサ１６０に出力する。
【００６７】
アンテナ１０２及びＷＬＡＮ通信部１１２は、ＷＬＡＮ無線信号の送受信に用いられる。ＷＬＡＮ通信部１１２は、プロセッサ１６０が出力するベースバンド信号をＷＬＡＮ無線信号に変換してアンテナ１０２から送信する。また、ＷＬＡＮ通信部１１２は、アンテナ１０２が受信するＷＬＡＮ無線信号をベースバンド信号に変換してプロセッサ１６０に出力する。
【００６８】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００６９】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００７０】
図３は、ｅＮＢ２００のブロック図である。図３に示すように、ｅＮＢ２００は、アンテナ２０１と、セルラ通信部２１０と、ネットワークインターフェイス２２０と、メモリ２３０と、プロセッサ２４０と、を有する。メモリ２３０及びプロセッサ２４０は、制御部を構成する。
【００７１】
アンテナ２０１及びセルラ通信部２１０は、セルラ無線信号の送受信に用いられる。セルラ通信部２１０は、プロセッサ２４０が出力するベースバンド信号をセルラ無線信号に変換してアンテナ２０１から送信する。また、セルラ通信部２１０は、アンテナ２０１が受信するセルラ無線信号をベースバンド信号に変換してプロセッサ２４０に出力する。
【００７２】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。また、ネットワークインターフェイス２２０は、ＥＰＣ２０を介したＡＰ３００との通信に使用される。
【００７３】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００７４】
図４は、ＡＰ３００のブロック図である。図４に示すように、ＡＰ３００は、アンテナ３０１と、ＷＬＡＮ通信部３１１と、ネットワークインターフェイス３２０と、メモリ３３０と、プロセッサ３４０と、を有する。
【００７５】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００７６】
ネットワークインターフェイス３２０は、ルータなどを介してＥＰＣ２０と接続される。また、ネットワークインターフェイス３２０は、ＥＰＣ２０を介したｅＮＢ２００との通信に使用される。
【００７７】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号などを行うベースバンドプロセッサと、メモリ３３０に記憶されるプログラムを実行して各種の処理を行うＣＰＵと、を含む。
【００７８】
図５は、セルラ通信システムにおける無線インターフェイスのプロトコルスタック図である。図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００７９】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００８０】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを選択するスケジューラを含む。
【００８１】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００８２】
ＰＤＣＰレイヤは、ヘッダ圧縮・伸張、及び暗号化・復号化を行う。
【００８３】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ  ｃｏｎｎｅｃｔｅｄ  ｍｏｄｅ）であり、そうでない場合、ＵＥ１００はアイドル状態（ＲＲＣ  ｉｄｌｅ  ｍｏｄｅ）である。
【００８４】
ＲＲＣレイヤの上位に位置するＮＡＳレイヤは、セッション管理及びモビリティ管理などを行う。ＭＭＥ３００及びＡＮＤＳＦサーバ６００は、ＮＡＳメッセージをＵＥ１００と送受信する。
【００８５】
（第１実施形態に係る動作）
次に、第１実施形態に係る動作について説明する。
【００８６】
（１）動作環境
図６は、第１実施形態に係る動作環境を説明するための図である。図６に示すように、ｅＮＢ２００のカバレッジ内に複数のＡＰ３００が設けられている。複数のＡＰ３００は、オペレータにより管理されるＡＰ（Ｏｐｅｒａｔｏｒ  ｃｏｎｔｒｏｌｌｅｄ  ＡＰ）である。
【００８７】
また、ｅＮＢ２００のカバレッジ内であって、かつＡＰ３００のカバレッジ内に複数のＵＥ１００が位置している。ＵＥ１００は、ｅＮＢ２００との接続を確立しており、ｅＮＢ２００とのセルラ通信を行っている。具体的には、ＵＥ１００は、トラフィック（ユーザデータ）を含んだセルラ無線信号をｅＮＢ２００と送受信している。或いは、一部のＵＥ１００は、ｅＮＢ２００との接続を確立していなくてもよい。
【００８８】
ｅＮＢ２００が多数のＵＥ１００との接続を確立する場合、ｅＮＢ２００の負荷レベルが高くなる。負荷レベルとは、ｅＮＢ２００のトラフィック負荷又はｅＮＢ２００の無線リソース使用率など、ｅＮＢ２００の混雑度を意味する。ここで、ｅＮＢ２００とＵＥ１００との間で送受信されるトラフィックを、ＡＰ３００とＵＥ１００との間で送受信するよう切り替えることにより、ｅＮＢ２００のトラフィック負荷をＡＰ３００に移行（オフロード）できる。
【００８９】
しかしながら、ＵＥ１００をＡＰ３００と接続可能な状態に保つためには、ＵＥ１００のＷＬＡＮ通信部１１２を常にオン状態にしてＡＰ発見処理（ＷＬＡＮスキャン）を継続する必要があり、ＵＥ１００の消費電力が増大する。よって、ＡＰ３００に関する情報をＵＥ１００に提供することにより、ＵＥ１００によって行われるＡＰ発見処理を効率化し、ＵＥ１００の消費電力の増大を抑制できる。
【００９０】
（２）動作概要
図７は、ＡＮＤＳＦサーバ６００により提供されるＡＮＤＳＦ情報を説明するための図である。図７に示すように、ＡＮＤＳＦサーバ６００は、ＡＰ３００に関するＡＮＤＳＦ情報をＮＡＳメッセージによりＵＥ１００に提供する。ＵＥ１００は、ＡＮＤＳＦ情報に基づいてＡＰ発見処理を行うことにより、ＡＰ３００を効率的に発見できる。
【００９１】
但し、ＡＮＤＳＦはオプション機能であり、必ずしも全てのＵＥ１００がＡＮＤＳＦを利用可能であるとは限らない。また、ＡＮＤＳＦは、ＮＡＳの機能であり、ＷＬＡＮに関する基本的な情報を提供するだけである。よって、ＡＮＤＳＦのみでは、ＡＰ発見処理を十分に効率化することが困難である。
【００９２】
そこで、第１実施形態では、ＡＰ３００を効率的に発見するためのＲＡＮレベル補助情報（ＲＡＮ  ｌｅｖｅｌ  ＷＬＡＮ  ｄｉｓｃｏｖｅｒｙ  ａｓｓｉｓｔａｎｃｅ  ｉｎｆｏｒｍａｔｉｏｎ）を新たに導入する。ＲＡＮレベル補助情報は、ｅＮＢ２００により管理されており、ｅＮＢ２００により提供される。
【００９３】
図８は、ＲＡＮレベル補助情報を説明するための図である。図８に示すように、ｅＮＢ２００は、ｅＮＢ２００のカバレッジ内に設けられたＡＰ３００を効率的に発見するためのＲＡＮレベル補助情報をブロードキャストでＵＥ１００に送信する。これにより、ｅＮＢ２００のカバレッジ内の各ＵＥ１００は、ＡＮＤＳＦを利用できない場合でも、ＲＡＮレベル補助情報に基づいてＡＰ発見処理を行うことにより、ＡＰ３００を効率的に発見できる。
【００９４】
ＲＡＮレベル補助情報は、接続状態のＵＥ１００だけでなく、アイドル状態のＵＥ１００も受信することが好ましいため、システム情報ブロック（ＳＩＢ）の一部とする。
【００９５】
ｅＮＢ２００が送信するＲＡＮレベル補助情報は、そのｅＮＢ２００のカバレッジ内の各ＡＰ３００に関する情報を含む。例えば、ＲＡＮレベル補助情報は、ＡＰ３００の識別子、ＡＰ３００の位置情報、ＡＰ３００のチャンネル情報、のうち少なくとも１つを含む。
【００９６】
ＡＰ３００の識別子は、ＳＳＩＤ（Ｓｅｒｖｉｃｅ  Ｓｅｔ  Ｉｄｅｎｔｉｆｉｅｒ）又はＢＳＳＩＤ（Ｂａｓｉｃ  Ｓｅｒｖｉｃｅ  Ｓｅｔ  Ｉｄｅｎｔｉｆｉｅｒ）である。
【００９７】
ＡＰ３００の位置情報は、ＡＰ３００の経度及び緯度である。但し、ＡＰ３００は、同一建物内に複数設けられることがあるため、ＡＰ３００の経度及び緯度では不十分であり、ＡＰ３００の高度も含めることが好ましい。
【００９８】
ＡＰ３００のチャンネル情報は、ＡＰ３００で運用中のＷＬＡＮチャンネル（周波数チャンネル）の情報である。
【００９９】
また、ＲＡＮレベル補助情報は、ＡＰ発見処理を行うべきタイミング（測定タイミング）に関する情報を含んでもよい。
【０１００】
ＵＥ１００は、ブロードキャストされるＲＡＮレベル補助情報を必ずしも受信（取得）しなくてもよい。例えばＡＮＤＳＦを利用できるＵＥ１００は、ＡＮＤＳＦサーバ６００により管理されているＡＮＤＳＦ情報（ＷＬＡＮ関連情報）を取得できるため、ＲＡＮレベル補助情報の受信を望まない、又はＲＡＮレベル補助情報を受信してもＡＰ発見処理に適用しない可能性がある。
【０１０１】
しかしながら、ＲＡＮレベル補助情報は、ＡＮＤＳＦ情報よりも詳細な情報であって、かつＡＮＤＳＦ情報よりもＡＰ発見処理を効率化する情報であるから、ＡＰ３００へトラフィック負荷を移行するオフロードの必要性が高い場合には、全てのＵＥ１００がＲＡＮレベル補助情報をＡＰ発見処理に適用するべきである。
【０１０２】
そこで、第１実施形態では、ｅＮＢ２００は、オフロード通知情報により、ＲＡＮレベル補助情報の適用をＵＥ１００に促す。
【０１０３】
図９は、オフロード通知情報を説明するための図である。図９に示すように、ｅＮＢ２００は、オフロードを行う場合に、ＲＡＮレベル補助情報をＡＰ発見処理に適用するようＵＥ１００に要求するためのオフロード通知情報をブロードキャストで送信する。オフロードを行う場合とは、例えばｅＮＢ２００の負荷レベルが高い（すなわち、ｅＮＢ２００で輻輳が生じている）場合である。
【０１０４】
これにより、ｅＮＢ２００のカバレッジ内の各ＵＥ１００は、ＲＡＮレベル補助情報をＡＰ発見処理に適用し、ＡＰ３００を効率的に発見する。その結果、ＡＰ３００へのオフロードを促進できる。
【０１０５】
ＲＡＮレベル補助情報は、接続状態のＵＥ１００だけでなく、アイドル状態のＵＥ１００も受信することが好ましいため、ＳＩＢの一部とする。
【０１０６】
尚、ＲＡＮレベル補助情報及びオフロード通知情報は、異なるメッセージにより構成される場合に限らず、同一メッセージ内の異なる情報要素として構成してもよい。
【０１０７】
（３）動作パターン１
次に、第１実施形態の動作パターン１を説明する。
【０１０８】
図１０は、第１実施形態の動作パターン１におけるｅＮＢ２００の動作フロー図である。本動作フローは、ｅＮＢ２００により定期的に実行される。
【０１０９】
図１０に示すように、ステップＳ１０１において、ｅＮＢ２００のプロセッサ２４０は、ＲＡＮレベル補助情報をブロードキャストで送信する。
【０１１０】
ステップＳ１０２において、プロセッサ２４０は、オフロードを行うか否かを判断する。例えばｅＮＢ２００の負荷レベルが高い場合には、プロセッサ２４０は、オフロードを行うと判断する。
【０１１１】
オフロードを行う場合（ステップＳ１０２：Ｙｅｓ）、ステップＳ１０３において、プロセッサ２４０は、オフロード通知情報をブロードキャストで送信する。
【０１１２】
尚、オフロード通知情報の送信を開始した後、例えばｅＮＢ２００の負荷レベルが十分に低下した場合、プロセッサ２４０は、オフロードを行わない（オフロード停止）と判断する（ステップＳ１０２）。この場合、プロセッサ２４０は、オフロード通知情報の送信を停止する。
【０１１３】
図１１は、第１実施形態の動作パターン１におけるＵＥ１００の動作フロー図である。
【０１１４】
図１１に示すように、ステップＳ２０１において、ＵＥ１００のプロセッサ１６０は、セルラ通信部１１１によりＲＡＮレベル補助情報を受信する。
【０１１５】
ステップＳ２０2において、プロセッサ１６０は、ＲＡＮレベル補助情報に興味があるか否かを判断する。ＲＡＮレベル補助情報に興味を持たないＵＥ１００とは、例えばＡＮＤＳＦを利用できるＵＥ１００である。これに対し、ＲＡＮレベル補助情報に興味を持つＵＥ１００とは、例えばＡＮＤＳＦを利用できないＵＥ１００である。
【０１１６】
ＲＡＮレベル補助情報に興味がある場合（ステップＳ２０２：Ｙｅｓ）、ステップＳ２０３において、プロセッサ１６０は、ＲＡＮレベル補助情報をＡＰ発見処理に適用する。具体的には、ＲＡＮレベル補助情報を設定情報（Ｃｏｎｆｉｇｕｒａｔｉｏｎ）として使用する。尚、プロセッサ１６０は、それ以降にＲＡＮレベル補助情報を受信した際に、受信したＲＡＮレベル補助情報を新たにＡＰ発見処理に適用する。すなわち、設定情報（Ｃｏｎｆｉｇｕｒａｔｉｏｎ）を更新する。
【０１１７】
一方、ＲＡＮレベル補助情報に興味がない場合（ステップＳ２０２：Ｎｏ）、ステップＳ２０４において、プロセッサ１６０は、ＲＡＮレベル補助情報をＡＰ発見処理に適用することなくメモリ１５０に格納する。
【０１１８】
ステップＳ２０５において、プロセッサ１６０は、オフロード通知情報を受信したか否かを判断する。
【０１１９】
オフロード通知情報を受信していない場合（ステップＳ２０５：Ｎｏ）、ステップＳ２０６において、プロセッサ１６０は、ｅＮＢ２００から送信されるＲＡＮレベル補助情報を（定期的に）監視し、ＲＡＮレベル補助情報が更新されているか否かを確認する。ＲＡＮレベル補助情報が更新されていれば、更新後のＲＡＮレベル補助情報でメモリ１５０内のＲＡＮレベル補助情報を更新する。
【０１２０】
これに対し、オフロード通知情報を受信した場合（ステップＳ２０５：Ｙｅｓ）、ステップＳ２０７において、プロセッサ１６０は、ＡＮＤＳＦ情報に代えて、メモリ１５０に格納されているＲＡＮレベル補助情報をＡＰ発見処理に適用する。具体的には、メモリ１５０に格納されているＲＡＮレベル補助情報を設定情報（Ｃｏｎｆｉｇｕｒａｔｉｏｎ）として使用する。
【０１２１】
ステップＳ２０８において、プロセッサ１６０は、オフロード通知情報が停止（受信停止）したか否かを判断する。言い換えると、ｅＮＢ２００によるオフロード通知情報のブロードキャストが停止したか否かを判断する。
【０１２２】
オフロード通知情報が停止していない場合（ステップＳ２０８：Ｎｏ）、ステップＳ２０９において、プロセッサ１６０は、ｅＮＢ２００から送信されるＲＡＮレベル補助情報を（定期的に）監視し、ＲＡＮレベル補助情報が更新されているか否かを確認する。ＲＡＮレベル補助情報が更新されていれば、更新後のＲＡＮレベル補助情報をＡＰ発見処理に適用する。具体的には、更新後のＲＡＮレベル補助情報で設定情報（Ｃｏｎｆｉｇｕｒａｔｉｏｎ）を更新する。
【０１２３】
これに対し、オフロード通知情報が停止した場合（ステップＳ２０８：Ｙｅｓ）、ステップＳ２１０において、プロセッサ１６０は、ＲＡＮレベル補助情報の適用を中止し、適用していたＲＡＮレベル補助情報をメモリ１５０に保持する。プロセッサ１６０は、ＡＮＤＳＦ情報の適用を再開（Ｒｅｃｏｎｆｉｇｕｒａｔｉｏｎ）してもよい。
【０１２４】
このように、動作パターン１では、ＡＮＤＳＦを利用できるか否かに拘わらず、全てのＵＥ１００がＲＡＮレベル補助情報を受信する。ＲＡＮレベル補助情報に興味を持たないＵＥ１００は、ｅＮＢ２００からのＲＡＮレベル補助情報をＡＰ発見処理に適用することなく記憶した後、ｅＮＢ２００からオフロード通知情報を受信した場合に、記憶しているＲＡＮレベル補助情報をＡＰ発見処理に適用する。そして、オフロード通知情報の送信停止を検知した場合に、ＡＰ発見処理へのＲＡＮレベル補助情報の適用を中止する。一方、ＲＡＮレベル補助情報に興味を持つＵＥ１００は、オフロード通知情報を受信しなくても、ＲＡＮレベル補助情報をＡＰ発見処理に適用する。
【０１２５】
（４）動作パターン２
次に、第１実施形態の動作パターン２を説明する。ｅＮＢ２００の動作は動作パターン１と同様であるため、ここではＵＥ１００の動作を説明する。図１２は、第１実施形態の動作パターン２におけるＵＥ１００の動作フロー図である。
【０１２６】
図１２に示すように、ステップＳ３０１において、ＵＥ１００のプロセッサ１６０は、ＲＡＮレベル補助情報に興味があるか否かを判断する。ＲＡＮレベル補助情報に興味を持たないＵＥ１００とは、ＡＮＤＳＦを利用できるＵＥ１００である。これに対し、ＲＡＮレベル補助情報に興味を持つＵＥ１００とは、ＡＮＤＳＦを利用できないＵＥ１００である。
【０１２７】
ＲＡＮレベル補助情報に興味がある場合（ステップＳ３０１：Ｙｅｓ）、ステップＳ３０２において、プロセッサ１６０は、セルラ通信部１１１によりＲＡＮレベル補助情報を受信する。そして、ステップＳ３０３において、プロセッサ１６０は、ＲＡＮレベル補助情報をＡＰ発見処理に適用する。具体的には、ＲＡＮレベル補助情報を設定情報（Ｃｏｎｆｉｇｕｒａｔｉｏｎ）として使用する。尚、プロセッサ１６０は、それ以降にＲＡＮレベル補助情報を受信した際に、受信したＲＡＮレベル補助情報を新たにＡＰ発見処理に適用する。すなわち、設定情報（Ｃｏｎｆｉｇｕｒａｔｉｏｎ）を更新する。
【０１２８】
一方、ＲＡＮレベル補助情報に興味がない場合（ステップＳ３０１：Ｎｏ）、ステップＳ３０４において、プロセッサ１６０は、オフロード通知情報を受信したか否かを判断する。
【０１２９】
オフロード通知情報を受信した場合（ステップＳ３０4：Ｙｅｓ）、ステップＳ３０５において、プロセッサ１６０は、セルラ通信部１１１によりＲＡＮレベル補助情報を受信する。そして、ステップＳ３０６において、プロセッサ１６０は、ＲＡＮレベル補助情報をＡＰ発見処理に適用する。具体的には、ＲＡＮレベル補助情報を設定情報（Ｃｏｎｆｉｇｕｒａｔｉｏｎ）として使用する。
【０１３０】
ステップＳ３０７において、プロセッサ１６０は、オフロード通知情報が停止（受信停止）したか否かを判断する。言い換えると、ｅＮＢ２００によるオフロード通知情報のブロードキャストが停止したか否かを判断する。
【０１３１】
オフロード通知情報が停止していない場合（ステップＳ３０７：Ｎｏ）、ステップＳ３０８において、プロセッサ１６０は、ｅＮＢ２００から送信されるＲＡＮレベル補助情報を（定期的に）監視し、ＲＡＮレベル補助情報が更新されているか否かを確認する。ＲＡＮレベル補助情報が更新されていれば、更新後のＲＡＮレベル補助情報をＡＰ発見処理に適用する。具体的には、更新後のＲＡＮレベル補助情報で設定情報（Ｃｏｎｆｉｇｕｒａｔｉｏｎ）を更新する。
【０１３２】
これに対し、オフロード通知情報が停止した場合（ステップＳ３０７：Ｙｅｓ）、ステップＳ３０９において、プロセッサ１６０は、ＲＡＮレベル補助情報の適用を中止する。プロセッサ１６０は、適用していたＲＡＮレベル補助情報を破棄してもよい。また、プロセッサ１６０は、ＡＮＤＳＦ情報の適用を再開（Ｒｅｃｏｎｆｉｇｕｒａｔｉｏｎ）してもよい。
【０１３３】
このように、動作パターン２では、ＲＡＮレベル補助情報に興味を持たないＵＥ１００は、ｅＮＢ２００からオフロード通知情報を受信するまで、ＲＡＮレベル補助情報を受信しない。そして、オフロード通知情報を受信した場合に、ＲＡＮレベル補助情報を受信し、受信したＲＡＮレベル補助情報をＡＰ発見処理に適用する。従って、動作パターン２は、動作パターン１に比べてメモリ１５０の使用量を節約できる。
【０１３４】
（第１実施形態のまとめ）
ｅＮＢ２００は、オフロードを行う場合に、ＲＡＮレベル補助情報をＡＰ発見処理に適用するようＵＥ１００に要求するためのオフロード通知情報をブロードキャストで送信する。ＲＡＮレベル補助情報に興味を持たないＵＥ１００であっても、オフロード通知情報を受信した場合には、ＲＡＮレベル補助情報をＡＰ発見処理に適用する。これにより、ｅＮＢ２００のカバレッジ内の各ＵＥ１００は、ＲＡＮレベル補助情報をＡＰ発見処理に適用し、ＡＰ３００を効率的に発見する。その結果、ＡＰ３００へのオフロードを促進できる。
【０１３５】
［第２実施形態］
第２実施形態について、上述した第１実施形態との相違点を主として説明する。第２実施形態は、システム構成及び動作環境については第１実施形態と同様である。
【０１３６】
（第２実施形態に係る動作）
以下において、第２実施形態に係る動作について説明する。
【０１３７】
（１）動作概要
第２実施形態では、ＵＥ１００は、ＲＡＮレベル補助情報の送信を要求するための要求情報（以下、「ＲＡＮレベル補助情報要求」という）をｅＮＢ２００に送信する。ＲＡＮレベル補助情報の情報要素については、第１実施形態と同様である。尚、ＲＡＮレベル補助情報要求は、ＲＡＮレベル補助情報に対する興味を通知する興味通知と捉えることもできる。
【０１３８】
ＲＡＮレベル補助情報要求を受信したｅＮＢ２００は、ＲＡＮレベル補助情報をユニキャストでＵＥ１００に送信する。例えばＲＲＣメッセージによりＲＡＮレベル補助情報を送信することにより、ユニキャストでのＲＡＮレベル補助情報の送信を実現できる。
【０１３９】
このように、第２実施形態では、第１実施形態とは異なり、ＵＥ１００個別にＲＡＮレベル補助情報を送信する。従って、第１実施形態に比べて、ＲＡＮレベル補助情報をきめ細かに提供できる。
【０１４０】
（２）動作パターン１
図１３は、第２実施形態の動作パターン１におけるシーケンス図である。
【０１４１】
図１３に示すように、ステップＳ４０１において、ｅＮＢ２００は、ＡＮＤＳＦサーバ６００からＡＮＤＳＦ情報を取得する。ＡＮＤＳＦ情報は、ＡＰ３００の識別子、及びＡＰ３００の位置情報（高度を除く）を含んでもよい。尚、ｅＮＢ２００は、ＡＮＤＳＦサーバ６００からＡＮＤＳＦ情報を直接的に取得する場合に限らず、ＡＮＤＳＦ情報を間接的に取得してもよい。例えば、ｅＮＢ２００は、コアネットワークに含まれるノード(例えばＯＡＭやＭＭＥ)を介してＡＮＤＳＦ情報を取得してもよい。
【０１４２】
ステップＳ４０２において、ｅＮＢ２００は、ＡＮＤＳＦ情報とＲＡＮレベル補助情報との差分を判断する。すなわち、ＲＡＮレベル補助情報のうちＡＮＤＳＦ情報に含まれていない部分（例えばチャンネル情報及び高度情報など）を抽出する。
【０１４３】
ステップＳ４０３において、ＵＥ１００は、ＲＡＮレベル補助情報要求をｅＮＢ２００に送信する。動作パターン１では、ＵＥ１００は、ＡＮＤＳＦをサポートするか否か（或いは、ＡＮＤＳＦを利用可能であるか否か）を示すＡＮＤＳＦ能力情報を、ＲＡＮレベル補助情報要求と共にｅＮＢ２００に送信する。さらに、ＵＥ１００は、自身の位置情報をＲＡＮレベル補助情報要求と共にｅＮＢ２００に送信してもよい。
【０１４４】
ステップＳ４０４において、ｅＮＢ２００は、ＡＮＤＳＦ能力情報に基づいて、ＡＮＤＳＦをサポートするＵＥ１００であるか否かを判断する。
【０１４５】
ＡＮＤＳＦをサポートするＵＥ１００である場合（ステップＳ４０４：Ｙｅｓ）、ステップＳ４０５において、ｅＮＢ２００は、ＲＡＮレベル補助情報のうちＡＮＤＳＦ情報に含まれていない部分のみをユニキャストでＵＥ１００に送信する。
【０１４６】
これに対し、ＡＮＤＳＦをサポートしないＵＥ１００である場合（ステップＳ４０４：Ｎｏ）、ステップＳ４０６において、ｅＮＢ２００は、ＲＡＮレベル補助情報の全体をユニキャストでＵＥ１００に送信する。
【０１４７】
尚、ｅＮＢ２００は、ステップＳ４０３でＵＥ１００の位置情報を受信している場合に、ステップＳ４０５又はＳ４０６において、ＲＡＮレベル補助情報のうちＵＥ１００の近傍のＡＰ３００に関する部分のみをユニキャストでＵＥ１００に送信してもよい。
【０１４８】
ステップＳ４０７において、ＲＡＮレベル補助情報（一部分又は全体）を受信したＵＥ１００は、受信したＲＡＮレベル補助情報をＡＰ発見処理に適用する。具体的には、ＲＡＮレベル補助情報を設定情報（Ｃｏｎｆｉｇｕｒａｔｉｏｎ）として使用する。
【０１４９】
ステップＳ４０８において、ｅＮＢ２００は、自カバレッジ内に負荷レベルを削減した方が好ましいＡＰ３００が存在するか否かを判断する。負荷レベルを削減した方が好ましいＡＰ３００とは、例えば輻輳が生じているＡＰ３００（或いは、輻輳に近い状態にあるＡＰ３００）を指す。以下においては、負荷レベルを削減した方が好ましいＡＰ３００として、輻輳が生じているＡＰ３００を例示している。
【０１５０】
自カバレッジ内のＡＰ３００において例えば輻輳が生じている場合（ステップＳ４０８：Ｙｅｓ）、ステップＳ４０９において、ｅＮＢ２００は、新たなＲＡＮレベル補助情報をユニキャストでＵＥ１００に送信する。新たなＲＡＮレベル補助情報とは、輻輳が生じているＡＰ３００に対するＡＰ発見処理を規制するように構成されたＲＡＮレベル補助情報である。例えば、輻輳が生じているＡＰ３００に関する情報を除いたＲＡＮレベル補助情報としてもよい。
【０１５１】
ステップＳ４１０において、新たなＲＡＮレベル補助情報を受信したＵＥ１００は、受信したＲＡＮレベル補助情報をＡＰ発見処理に適用する。具体的には、新たなＲＡＮレベル補助情報を設定情報（Ｃｏｎｆｉｇｕｒａｔｉｏｎ）として更新して使用する。
【０１５２】
ステップＳ４１１において、ｅＮＢ２００は、ＡＰ３００における輻輳が解消したか否かを判断する。
【０１５３】
ＡＰ３００における輻輳が解消した場合（ステップＳ４１１：Ｙｅｓ）、ステップＳ４１２において、ｅＮＢ２００は、通常のＲＡＮレベル補助情報をユニキャストでＵＥ１００に送信する。通常のＲＡＮレベル補助情報とは、輻輳が解消したＡＰ３００に対するＡＰ発見処理を規制しないように構成されたＲＡＮレベル補助情報である。
【０１５４】
ステップＳ４１３において、通常のＲＡＮレベル補助情報を受信したＵＥ１００は、受信したＲＡＮレベル補助情報をＡＰ発見処理に適用する。具体的には、通常のＲＡＮレベル補助情報を設定情報（Ｃｏｎｆｉｇｕｒａｔｉｏｎ）として更新して使用する。
【０１５５】
このように、第２実施形態の動作パターン１では、ＡＮＤＳＦをサポートするＵＥ１００は、ＡＮＤＳＦをサポートすることを示す能力情報をＲＡＮレベル補助情報要求と共にｅＮＢ２００に送信する。ＲＡＮレベル補助情報要求と共に当該能力情報を受信したｅＮＢ２００は、ＲＡＮレベル補助情報のうち、ＡＮＤＳＦ情報に含まれていない部分をＵＥ１００に送信する。
【０１５６】
（３）動作パターン２
図１４は、第２実施形態の動作パターン２におけるシーケンス図である。
【０１５７】
図１４に示すように、ステップＳ５０１において、ＵＥ１００は、ＡＮＤＳＦ情報とＲＡＮレベル補助情報との差分を判断する。すなわち、ＲＡＮレベル補助情報のうちＡＮＤＳＦ情報に含まれていない部分（例えばチャンネル情報及び高度情報など）を要求項目として抽出する。
【０１５８】
ステップＳ５０２において、ＵＥ１００は、ＲＡＮレベル補助情報要求をｅＮＢ２００に送信する。動作パターン２では、ＵＥ１００は、ＲＡＮレベル補助情報のうちＡＮＤＳＦ情報に含まれていない部分を示す要求項目をＲＡＮレベル補助情報要求と共にｅＮＢ２００に送信する。さらに、ＵＥ１００は、自身の位置情報をＲＡＮレベル補助情報要求と共にｅＮＢ２００に送信してもよい。
【０１５９】
ステップＳ５０３において、ＲＡＮレベル補助情報要求と共に要求項目を受信したｅＮＢ２００は、ＲＡＮレベル補助情報のうち要求項目に対応する部分のみをユニキャストでＵＥ１００に送信する。尚、ｅＮＢ２００は、ステップＳ５０２でＵＥ１００の位置情報を受信している場合に、ステップＳ５０３において、ＲＡＮレベル補助情報のうちＵＥ１００の近傍のＡＰ３００に関する部分のみをユニキャストでＵＥ１００に送信してもよい。
【０１６０】
ステップＳ５０４において、ＲＡＮレベル補助情報（要求項目に対応する部分）を受信したＵＥ１００は、受信したＲＡＮレベル補助情報をＡＰ発見処理に適用する。具体的には、ＲＡＮレベル補助情報を設定情報（Ｃｏｎｆｉｇｕｒａｔｉｏｎ）として使用する。
【０１６１】
ステップＳ５０５において、ｅＮＢ２００は、自カバレッジ内に負荷レベルを削減した方が好ましいＡＰ３００が存在するか否かを判断する。これ以降の動作（ステップＳ５０６乃至Ｓ５１０）については、動作パターン１と同様である。
【０１６２】
このように、第２実施形態の動作パターン２では、ＡＮＤＳＦをサポートするＵＥ１００は、ＲＡＮレベル補助情報のうちＡＮＤＳＦ情報に含まれていない部分を示す要求項目をＲＡＮレベル補助情報要求と共にｅＮＢ２００に送信する。ＲＡＮレベル補助情報要求と共に要求項目を受信したｅＮＢ２００は、ＲＡＮレベル補助情報のうち要求項目に対応する部分をＵＥ１００に送信する。
【０１６３】
（４）動作パターン３
図１５は、第２実施形態の動作パターン３におけるシーケンス図である。
【０１６４】
図１５に示すように、ステップＳ６０１において、ＵＥ１００は、ＲＡＮレベル補助情報要求をｅＮＢ２００に送信する。さらに、ＵＥ１００は、自身の位置情報をＲＡＮレベル補助情報要求と共にｅＮＢ２００に送信してもよい。
【０１６５】
ステップＳ６０２において、ＲＡＮレベル補助情報要求を受信したｅＮＢ２００は、ＲＡＮレベル補助情報をユニキャストでＵＥ１００に送信する。尚、ｅＮＢ２００は、ステップＳ６０１でＵＥ１００の位置情報を受信している場合に、ステップＳ６０２において、ＲＡＮレベル補助情報のうちＵＥ１００の近傍のＡＰ３００に関する部分のみをユニキャストでＵＥ１００に送信してもよい。
【０１６６】
ステップＳ６０３において、ＲＡＮレベル補助情報を受信したＵＥ１００は、受信したＲＡＮレベル補助情報をＡＰ発見処理に適用する。具体的には、ＲＡＮレベル補助情報を設定情報（Ｃｏｎｆｉｇｕｒａｔｉｏｎ）として使用する。ここで、ＡＮＤＳＦをサポートするＵＥ１００は、ＡＮＤＳＦ情報よりも優先的にＲＡＮレベル補助情報をＡＰ発見処理に適用する。
【０１６７】
ステップＳ６０４において、ｅＮＢ２００は、自カバレッジ内に負荷レベルを削減した方が好ましいＡＰ３００が存在するか否かを判断する。これ以降の動作（ステップＳ６０５乃至Ｓ６０９）については、動作パターン１と同様である。
【０１６８】
このように、第２実施形態の動作パターン３では、ＡＮＤＳＦをサポートするＵＥ１００は、ｅＮＢ２００から受信したＲＡＮレベル補助情報を、ＡＮＤＳＦ情報よりも優先的にＡＰ発見処理に適用する。
【０１６９】
（第２実施形態のまとめ）
ＵＥ１００は、ＲＡＮレベル補助情報要求をｅＮＢ２００に送信する。ＲＡＮレベル補助情報要求を受信したｅＮＢ２００は、ＲＡＮレベル補助情報をユニキャストでＵＥ１００に送信する。このように、ＵＥ１００個別にＲＡＮレベル補助情報を送信することにより、ＲＡＮレベル補助情報をきめ細かに提供できる。
【０１７０】
［第２実施形態の変更例］
上述した第２実施形態において、ＵＥ１００からのＲＡＮレベル補助情報要求を受信したｅＮＢ２００は、ＲＡＮレベル補助情報要求をそのＵＥ１００のハンドオーバに利用してもよい。
【０１７１】
第２実施形態の変更例では、ｅＮＢ２００は、隣接ｅＮＢ２００へのＵＥ１００のハンドオーバを行う場合に、ＲＡＮレベル補助情報の送信を要求するＵＥ１００であることを示すＵＥ関連情報（ＵＥコンテキスト）を隣接ｅＮＢ２００に送信する。このようなＵＥ関連情報は、Ｘ２インターフェイス上で隣接ｅＮＢ２００に送信するハンドオーバ要求の一部とすることができる。そして、ＵＥ関連情報を受信した隣接ｅＮＢ２００は、対応するＵＥ１００が自身（隣接ｅＮＢ２００）に接続した際、自身（隣接ｅＮＢ２００）のカバレッジ内に設けられたＡＰ３００を効率的に発見するためのＲＡＮレベル補助情報をＵＥ１００に送信する。これにより、ＵＥ１００とのＲＲＣ接続確立手順の過程でＲＡＮレベル補助情報をＵＥ１００に送信できる。
【０１７２】
［第１実施形態及び第２実施形態の付記］
以下において、上述した第１実施形態及び第２実施形態の補足事項について付記する。
【０１７３】
（概要）
アクセスネットワーク発見補助情報について様々な解法の提案がなされている。一部の解法は、ＡＮＤＳＦの可用性に依存し、他の解法は、ＲＡＮ（Ｅ−ＵＴＲＡＮ１０／ｅＮＢ２００）の補助のみに依存する。以下においては、ネットワーク複雑性及びＵＥ消費電力に基づいて解法をカテゴライズする。
【０１７４】
ネットワーク選択とＷＬＡＮスキャニング／発見とは個別に議論すべきという見解がある。ネットワーク選択については、ＵＥ１００のＷＬＡＮ無線がオンであり、利用可能なＡＰ３００をＵＥ１００が常にスキャンすると想定されることがある。これに対し、ＷＬＡＮスキャニング／発見の最適化は、ＵＥ１００がＡＰ３００を常にスキャンすることを想定すべきではない。よって、ＷＬＡＮスキャニング／発見の最適化は、ネットワーク選択の解法がまとまった後に考慮されるべきではない。
【０１７５】
ＡＮＤＳＦは、セルの粒度で、又は正確な協調によりＷＬＡＮアクセスネットワーク発見情報を提供できると考えられているが、ＵＥ１００がＡＮＤＳＦを常に利用できるとは限らない。ＡＮＤＳＦをＵＥ１００が利用できない場合、ＵＥ１００の消費電力を合理的なレベルに削減できるように、ＲＡＮからの補助情報が必要となり得る。仮にＡＮＤＳＦ情報をＵＥ１００が利用可能であっても、ＲＡＮからの補助は有益である。ＡＮＤＳＦ、ＲＡＮ、又はその両方から補助情報を受信するか否かに拘わらず、ＵＥ１００の挙動を定義し、ＵＥ要件を特定することについては検討の余地がある。
【０１７６】
以下では、ＷＬＡＮスキャニング／発見の最適化を３つのフェーズに分類する。フェーズ１は、ネットワーク複雑性を少なくしながらＵＥ消費電力削減に十分な情報を提供するものである。フェーズ２は、不要なサーチ及びスキャニングをさらに削減するために追加の呪法を提供するものである。フェーズ３は、最も大きい補助をＵＥ１００に提供し、消費電力を大幅に削減するものの、ネットワーク複雑性が増加するものである。フェーズ１及び２はＩＤＬＥ（アイドル）及びＣＯＮＮ（コネクティッド）の両ＵＥに適用可能であり、フェーズ３はＣＯＮＮのＵＥ１００にのみ適用可能である。
【０１７７】
（フェーズ１：ブロードキャスト補助）
ＵＥ１００をＷＬＡＮにアクセスさせる主な理由は、３ＧＰＰノードが負荷均衡のためにトラフィックをＷＬＡＮへオフロード可能とすることである。例えば、ＲＡＮが混雑している場合には、できる限りトラフィックをＷＬＡＮへオフロードすることが想定される。いくつかの状況では、ＵＥ１００のユーザがＷＬＡＮ無線をオフにする、又はＵＥ１００が省電力モードで動作していることがある。ＵＥ１００が３ＧＰＰノードによるオフロードの意図を知らなければ、ＵＥ１００が省電力モードを停止する理由はほとんど無い。よって、３ＧＰＰノードがオフロードの意図をＵＥ１００に知らせることは有益である。ＵＥ１００が省電力モードを維持する場合、十分なオフロードゲインは達成されない。同様に、ＲＡＮの負荷が通常に戻り、オフロードが重要で無くなった場合には、ＵＥ１００のユーザの意志に基づいて省電力モードを起動できるように、更新された３ＧＰＰノードの意図をＵＥ１００に知らせるべきである。そのような指示子は、他の提案される補助メカニズムを補完する。インジケーションはＷＬＡＮ発見用である。ネットワーク選択のために追加情報が必要か否か、特に、マストグリングの争点については、更なる検討が必要である。
【０１７８】
従って、３ＧＰＰノードは、ＷＬＡＮへのオフロードの意図をＵＥ１００に知らせる仕組みを持つべきである。
【０１７９】
（フェーズ２：エンハンストブロードキャスト補助）
フェーズ１における解法に加えて、３ＧＰＰノードのカバレッジ内にある利用可能なＡＰ３００のチャネル情報と共に、３ＧＰＰノードがＨＥＳＳＩＤ、ＳＳＩＤ、ＢＳＳＩＤをブロードキャストすることを許容するかについて検討すべきである。３ＧＰＰセルとＡＰ３００との関連付けはＡＮＤＳＦの一部として既に利用可能である。しかしながら、ＡＮＤＳＦは常に利用可能であるとは限らないので、ＡＮＤＳＦを利用不能なケースの解法が必要である。３ＧＰＰノードがブロードキャストするＷＬＡＮ識別子は、ＡＮＤＳＦと一致しており、ＡＮＤＳＦと競合しない。この情報は、ＵＥ１００がどのＡＰ３００をスキャン又は検知するかを試行するための判断に利用できる。
【０１８０】
従って、３ＧＰＰノードが、３ＧＰＰノードのカバレッジ内にある利用可能なＡＰ３００のチャネル情報と共に、ＨＥＳＳＩＤ、ＳＳＩＤ、ＢＳＳＩＤをブロードキャストするべきである。
【０１８１】
３ＧＰＰノードが自カバレッジ内のＡＰ３００の位置を知る必要性についての議論がある。ＵＥ１００は、当該情報を、３ＧＰＰノードから取得する、又は位置情報を利用可能と想定すればＡＮＤＳＦから取得し得る。ＵＥ１００がＡＰ位置情報を利用できれば、ＡＰ３００のカバレッジ内にいるか否かの近傍検知をＵＥ１００が行う選択肢を持つ。また、ＵＥ１００のＷＬＡＮ無線をオフすることを含む省電力モードを開始し得る。近傍検知によれば、ＵＥ１００が省電力モードを直ぐにオフする必要は無く、ＡＰ３００の近傍になるまで省電力モードの停止を待つことができる。３ＧＰＰノードがＡＰ３００の位置情報をブロードキャストする場合、ブロードキャストのオーバーヘッドを制限するためにＡＰ３００の数を制限するべきかの検討が必要である。
【０１８２】
３ＧＰＰノードがＡＰ位置情報を持たない場合、以下の２つの選択肢を利用することでＵＥ消費電力を削減できる。
１．ＵＥ１００が以前に接続したＡＰ３００の履歴を用いる。これは、近傍検知と共に動作する。
２．３ＧＰＰノードが、ＵＥ１００のアクティブスキャンの総時間を減らすためのスキャン補助をブロードキャストする。このスキャン補助は、例えばビーコンフレームのタイミングなどに基づく、削減されたスキャン期間の形をとる。
【０１８３】
選択肢１は、更なる補助情報を必要としない利点があり、ＵＥ１００は、近傍検知のベースとして、以前に訪ねたＡＰ３００の履歴に頼る。しかしながら、ブロードキャストされるＷＬＡＮ識別子が、ＵＥ１００が以前に訪ねていない１又は複数のＡＰ３００を含む場合、ＵＥ１００は、ＡＰ３００に遭遇した際に省電力モードの適用を停止する必要があり得る。
【０１８４】
選択肢２は、ＵＥ１００が以前に訪ねたＡＰ３００に依存せず、消費電力化はスキャン最適化のみに基づく。選択肢２の不利な点は、省電力モードは主にアクティブスキャン期間の削減に基づくので、ＡＰ３００が近くに存在しない場合でも電力が消費されることである。
【０１８５】
（フェーズ３：アドバンスト補助）
フェーズ１及び２におけるブロードキャスト補情報に対して、アドバンスト補助モードは、ＵＥ消費電力を大きく削減できる。上述したようにＵＥ１００がＡＰ３００の位置を知っている場合でも、ＡＰ３００の近くであるか否かの判断はＵＥ次第である。ＵＥ１００が位置を知るためにＧＰＳをオンにする場合、ＷＬＡＮ無線をオフにしても、過剰な電力消費を回避できない。フィンガープリント及びＥＣＩＤの他の方法は消費電力を削減し得るが、それらが十分である又はサポートされるかは不明確である。
【０１８６】
フェーズ３の主なモチベーションはフェーズ１及び２よりも消費電力を削減することであり、複数の解法を適用可能である。何れのケースにおいても、各解法は、対象ＡＰ３００（例えば、過負荷でないＡＰ３００）の近傍にＵＥ１００がいるかをネットワークが判断できると想定している。一つの解法では、３ＧＰＰノードが、位置に基づいてＵＥ１００がＡＰ３００に近いかを判断する。他の解法では、３ＧＰＰノード又はＡＰ３００が、ＵＥ１００が送信するＵＬ信号に基づいてＵＥ１００がＡＰ３００に近いかを判断する。どの解法が使用されても、３ＧＰＰノードは、ＵＥ１００がＡＰ３００に近いことを知った場合に、ＡＰ３００の測定をＵＥ１００に行わせるための通知又は設定を個別シグナリングによりＵＥ１００に送信する。当該設定もまたＵＥ特有のものである。必要なことは、当該個別シグナリングの仕様化である。ＵＬ検知又は位置検知は実装依存であり、仕様化の必要は無い。フェーズ３では、ＵＥ１００は、ＷＬＡＮ無線をオンに保つ必要が無く、自身の位置を判断するための電力を消費しない。ネットワークは、ＵＥ１００及びＡＰ３００の相対位置を判断する義務がある。
【０１８７】
従って、３ＧＰＰノードは、ＷＬＡＮ  ＡＰ検知／スキャニングを補助するために、個別シグナリングによるＵＥ１００への通知を許可されるべきである。
【０１８８】
この場合、ＵＥ１００は個別シグナリングを受信するまで省電力モードで動作できるので、フェーズ１及び２はもはや不要である。しかしながら、ネットワーク実装により、３ＧＰＰノードは、ＵＥ１００を追跡する又はＡＰ位置情報を得ることが必ずしも可能ではない。よって、３ＧＰＰノードは、フェーズ１及び２のメカニズムに立ち戻る必要があるかもしれない。
【０１８９】
上記３つのフェーズを適用する場合、３ＧＰＰノードは、消費電力を増加させる他のＷＬＡＮ検知／スキャニングメカニズムを適用すべきかをＵＥ１００が把握できるように、ネットワークがそのような特徴をサポートすることを知らせる仕組みが必要である。従って、３つのフェーズが全て適用された場合、３ＧＰＰノードは、ＵＥ１００の近傍にＡＰ３００があることをネットワークが検知するかをＵＥ１００に知らせるべきである。
【０１９０】
［第３実施形態］
第３実施形態について、上述した第１実施形態及び第２実施形態との相違点を主として説明する。第３実施形態は、システム構成及び動作環境については第１実施形態と同様である。
【０１９１】
（第３実施形態の概要）
第３実施形態に係る通信制御方法は、ＲＡＮ（Ｅ−ＵＴＲＡＮ１０／ｅＮＢ２００）及びＷＬＡＮ（ＡＰ３００）の中からＵＥ１００のトラフィックを送受信すべきアクセスネットワークを選択するためのネットワーク選択動作（「アクセスネットワーク選択」とも称される）を制御する方法である。ＵＥ１００は、ＲＡＮで予め規定された選択規則であるＲＡＮ規則、ＡＮＤＳＦにより提供される選択規則であるＡＮＤＳＦ規則のうち、少なくとも一方をネットワーク選択動作に適用する。ＡＮＤＳＦ規則は、ＡＮＤＳＦポリシーとも称される。
【０１９２】
図１６は、第３実施形態に係る通信制御方法を示す図である。
【０１９３】
図１６に示すように、第３実施形態に係る通信制御方法は、ＡＮＤＳＦに関する可用性を示すＡＮＤＳＦ可用性情報をＵＥ１００からＲＡＮに通知するステップＳ７０１と、ＡＮＤＳＦ可用性情報に基づいて、ネットワーク選択動作に利用されるＲＡＮ補助情報をＲＡＮから送信するステップＳ７０２と、ＵＥ１００が、ＲＡＮ補助情報に基づいてネットワーク選択動作を行うステップＳ７０３と、を有する。
【０１９４】
ＡＮＤＳＦ可用性情報は、ＵＥ１００がＡＮＤＳＦを使用できるか否かに関する情報であってもよい。
【０１９５】
ＡＮＤＳＦ可用性情報は、ＵＥ１００が使用できるＡＮＤＳＦが、ＲＡＮ補助情報を適用可能なエンハンストＡＮＤＳＦであるか否かに関する情報を含んでもよい。
【０１９６】
第３実施形態に係る通信制御方法は、ＵＥ１００がＡＮＤＳＦを使用できるか否かに基づいて、ＡＰ３００に関する識別子（ＷＬＡＮ識別子）をＲＡＮからＵＥ１００に提供するか否かを判断するステップをさらに有してもよい。
【０１９７】
ステップＳ７０１において、ＵＥ１００は、ＡＮＤＳＦ可用性情報を端末能力情報の一部としてＲＡＮに通知してもよい。
【０１９８】
ステップＳ７０１において、ＵＥ１００は、ＲＡＮからの要求に応じてＡＮＤＳＦ可用性情報をＲＡＮに通知してもよい。
【０１９９】
ステップＳ７０１において、ＵＥ１００は、ＡＮＤＳＦを使用できない場合又はエンハンストＡＮＤＳＦを使用できない場合にのみ、ＡＮＤＳＦ可用性情報をＲＡＮに通知してもよい。
【０２００】
ステップＳ７０２において、全ての対象ＵＥ１００がエンハンストＡＮＤＳＦをサポートする場合に、ＲＡＮ規則にのみ適用される第１のＲＡＮ補助情報を送信しないとしてもよい。
【０２０１】
ステップＳ７０２において、全ての対象ＵＥ１００がエンハンストＡＮＤＳＦを使用できない場合に、ＡＮＤＳＦ規則にのみ適用される第２のＲＡＮ補助情報を送信しないとしてもよい。
【０２０２】
ステップＳ７０２は、ＲＡＮ規則及びＡＮＤＳＦ規則に共通に適用される共通ＲＡＮ補助情報をブロードキャストで送信するステップと、ＡＮＤＳＦ可用性情報に基づいて、ＲＡＮ規則にのみ適用される第１のＲＡＮ補助情報又はＡＮＤＳＦ規則にのみ適用される第２のＲＡＮ補助情報を送信するステップと、を含んでもよい。
【０２０３】
ＡＮＤＳＦ可用性情報は、ＵＥ１００のホームＡＮＤＳＦを示す情報を含んでもよい。
【０２０４】
第３実施形態に係る通信制御方法は、ホームＡＮＤＳＦに対応するホームネットワークとＲＡＮとが異なるローミング状態であるか否かに基づいて、ＡＰ３００に関する識別子をＲＡＮからＵＥ１００に提供するか否かを判断するステップをさらに有してもよい。また、ローミング状態であるか否かに基づいて、ＵＥ１００が、ＲＡＮから提供されたＡＰ３００に関する識別子を適用するかどうかを判断するステップをさらに有してもよい。
【０２０５】
ステップＳ７０３は、ＲＡＮ規則を適用してアクセスネットワークを選択するステップと、選択されたアクセスネットワークについて、さらにＡＮＤＳＦ規則を適用してネットワーク選択を行うステップと、を有してもよい。
【０２０６】
或いは、第３実施形態に係る通信制御方法は、ＲＡＮ規則に適用されるＲＡＮ補助情報及びＡＮＤＳＦ規則に適用されるＲＡＮ補助情報の両方をＲＡＮからブロードキャストで送信するステップＡと、ＵＥ１００が、ＲＡＮ補助情報に基づいてネットワーク選択動作を行うステップＢと、を有する。
【０２０７】
図１７は、第３実施形態に係るローミングシナリオを示す図である。図１７に示すように、ローミングシナリオでは、ＵＥ１００が訪問先ネットワーク１Ｂにローミングする。ホームネットワーク１Ａは、ＲＡＮ１０Ａ及びホームＡＮＤＳＦ６００Ａを含む。訪問先ネットワーク１Ｂは、訪問先ＲＡＮ１０Ｂ及び訪問先ＡＮＤＳＦ６００Ｂを含む。
【０２０８】
第３実施形態に係る通信制御方法は、訪問先ＲＡＮ１０Ｂに在圏するローミング端末１００が、非ローミング端末の加入者クラスに応じて非ローミング端末にトラフィックステアリングを行わせるオフロード指示子を訪問先ＲＡＮ１０Ｂから受信するステップＡと、ローミング端末１００が、訪問先ＲＡＮ１０Ｂから受信したオフロード指示子を無視するステップＢと、を有する。
【０２０９】
ここで、オフロード指示子は、１ビット又は複数ビットの指示子（ＯＰＩ：Ｏｆｆｌｏａｄ  Ｐｒｅｆｅｒｅｎｃｅ  Ｉｎｄｉｃａｔｏｒ）である。オフロード指示は、加入者クラス別に構成される。例えば、グレードの低い加入者を対象としてＷＬＡＮへトラフィックを移させるといった利用法がある。また、加入者クラスはオペレータごとに異なる。よって、ローミング端末１００については、訪問先ＲＡＮ１０Ｂから受信したオフロード指示子に従わないようにすることが好ましい。
【０２１０】
ローミング端末１００は、オフロード指示子を無視するように、加入者クラスの最高クラス（例えば、ゴールド）又は最低クラス（例えば、ブロンズ）として振る舞う。特に、ホームＰＬＭＮ（ホームネットワーク１Ａ）で優先されたサービスが許されるゴールド加入者（Ｇｏｌｄ  Ｓｕｂｓｃｒｉｂｅｒ）は、訪問先ネットワーク１Ｂにおいて最高クラスとして振る舞うことが許容されるべきである。
【０２１１】
第３実施形態に係る通信制御方法は、ＵＥ１００が、ホームネットワーク１Ａに在圏する場合に、ホームネットワーク１ＡのＡＮＤＳＦ又はエンハンストＡＮＤＳＦ６００Ａから提供されるＷＬＡＮ識別子をネットワーク選択動作に使用するステップＡと、ＵＥ１００が、訪問先ネットワーク１Ｂに在圏する場合に、訪問先ネットワーク１ＢのＲＡＮ１０Ｂから提供されるＷＬＡＮ識別子をネットワーク選択動作に使用するステップＢと、を有する。ＵＥ１００は、ホームネットワーク１ＡのＲＡＮから提供されるＷＬＡＮ識別子を無視してもよい。ＵＥ１００は、ホームネットワーク１Ａにより決定されたポリシーに基づいて、訪問先ネットワーク１ＢのＲＡＮ１０Ｂから提供されるＷＬＡＮ識別子をネットワーク選択動作に使用してもよい。
【０２１２】
（ＡＮＤＳＦ及びＲＡＮ規則の関係）
現状、以下の２つの種類のＡＮＤＳＦが存在する。
１．ＡＮＤＳＦ：  現在仕様化されているＡＮＤＳＦである。
２．エンハンストＡＮＤＳＦ：  システム情報（ＳＩ）及び／又は個別シグナリングで提供されるＲＡＮ補助パラメータを使用する、高度化されたＡＮＤＳＦである。
【０２１３】
ＡＮＤＳＦ又はエンハンストＡＮＤＳＦをＵＥ１００が利用可能である場合、ＲＡＮ規則の適用性を明確化する必要がある。ＡＮＤＳＦとエンハンストＡＮＤＳＦとの間の関係を明確化することにより、一貫性及び適切なＵＥ１００の動作が保証される。当該関係を表１に示す。
【０２１４】
【表１】
2018129855.tif 000003
注１：ＡＮＤＳＦのエンハンスの詳細に応じて異なる。
注２：ＡＮＤＳＦにより決定されたＷＬＡＮアクセスをＲＡＮが規制できるか否かについて検討が必要である。
【０２１５】
表１に示すように、ＡＮＤＳＦが利用可能か否か、及びどのタイプのＡＮＤＳＦが利用可能であるかに応じて、ＲＡＮ規則の必要性が異なる。ＡＮＤＳＦ（のタイプ）の可用性は、ネットワーク構成及びＵＥ能力（ＵＥ１００がＡＮＤＳＦをサポートするか否か）の両方に大きく依存する。ＡＮＤＳＦの可用性は非ローミグシナリオとローミングシナリオとで異なるので、ローミングシナリオを考慮することも重要である。なお、ローミングシナリオについては後述する。
【０２１６】
このように、ＡＮＤＳＦの可用性に応じて、ＲＡＮ規則が必要とする補助情報は異なる。また、ＡＮＤＳＦが利用可能であるか否か、及びＡＮＤＳＦがエンハンストであるか否かをどのように知るかが重要である。
【０２１７】
（ＲＡＮ補助情報の提供）
ＲＡＮ補助情報／パラメータは、ＲＡＮ規則に必要か又はエンハンストＡＮＤＳＦポリシーに必要かに応じて異なると仮定すると、ＵＥ１００がエンハンストＡＮＤＳＦを利用可能であるか否かをＲＡＮが把握する必要がある。これは、エンハンストＡＮＤＳＦが設けられ得るか否かだけでなく、ＵＥ１００がエンハンストＡＮＤＳＦをサポートするか否かもＲＡＮが把握するということである。よって、ＲＡＮは、どのＵＥ又は全てのＵＥがエンハンストＡＮＤＳＦをサポートするかを知る必要がある。全てのＵＥがエンハンストＡＮＤＳＦをサポートする場合、ＲＡＮは、ＲＡＮ規則にのみ使用される補助情報をブロードキャストする必要が無い。これに対し、全てのＵＥがエンハンストＡＮＤＳＦをサポートしない場合、ＲＡＮは、エンハンストＡＮＤＳＦにのみ適用可能な補助情報を提供する必要が無い。ＵＥが１つでもエンハンストＡＮＤＳＦをサポートしていなければ、ＲＡＮ規則のための補助情報の提供が必要になり得る。以下に、ＲＡＮがＲＡＮ補助情報の提供を判断するための選択肢を示す。
【０２１８】
１．ＵＥ１００が自身の能力の情報（ＡＮＤＳＦ可用性情報）をＲＡＮに報告する。
・各ＵＥ１００は、ＵＥ能力情報の一部として当該情報をＲＡＮに提供することが要求される。
・ＲＡＮは、必要に応じて、当該情報を各ＵＥ１００から要求してもよい。
・エンハンストＡＮＤＳＦをサポートしないＵＥ１００のみがＲＡＮに知らせてもよい。
・ＲＡＮは、ＲＡＮ規則、エンハンストＡＮＤＳＦ、又はその両方のための情報を特定のＵＥ１００に対して（個別シグナリングにより）提供する選択肢を有する。エンハンストＡＮＤＳＦをサポートする又はサポートしないＵＥ１００が僅かである場合に効果的である。
【０２１９】
２．ＵＥ１００がエンハンストＡＮＤＳＦをサポートするか否かに拘わらず、ＲＡＮ規則及びエンハンストＡＮＤＳＦのための補助情報が常にＲＡＮから提供される。
【０２２０】
３．（１及び２の組み合わせ）  ＲＡＮ規則及びエンハンストＡＮＤＳＦポリシーに適用される非ＵＥ固有共通補助情報が任意にＲＡＮから提供される（例えば、ＳＩＢ）。
・共通補助情報の例は、ＲＡＮ負荷情報（直接的、間接的）、オフロードプリファレンス、閾値（負荷、信号強度など）を含む。エンハンストＡＮＤＳＦをＵＥ１００が利用できるか否かをＲＡＮが把握している場合、ＲＡＮ規則及びエンハンストＡＮＤＳＦに共通でない補助パラメータ（例えば、ＷＬＡＮ識別子）は個別シグナリングにより提供されてもよい。全ての補助パラメータ（共通、非共通）が提供される場合、共通でない補助パラメータをブロードキャストで提供するかについて検討が必要である。
【０２２１】
このように、ＲＡＮ補助情報の提供に、上記３つの選択肢の何れかを適応するべきである。
【０２２２】
（ＡＮＤＳＦシナリオ別のアクセスネットワーク選択及びトラフィック・ルーティング）
ＡＮＤＳＦシナリオ別のＲＡＮ規則の適用性について表１に示したが、アクセスネットワーク選択及びトラフィック・ルーティングに必要なＲＡＮ補助パラメータについて検討が必要である。
【０２２３】
１）ＵＥ１００がＡＮＤＳＦを利用できない場合（ＲＡＮ規則のみ適用可能）
現状、エンハンストＡＮＤＳＦがネットワークに設けられていない又はＵＥ１００がサポートしていない場合、ＲＡＮ規則で使用されるＲＡＮ補助パラメータがシステムブロードキャスト又は個別シグナリングで転送されることが想定されている。よって、ＡＮＤＳＦ及びエンハンストＡＮＤＳＦの両方が利用不能である場合、ＲＡＮ規則を適用すべきことは明らかである。よって、アクセスネットワーク選択及びトラフィック・ルーティングの両方のＲＡＮ規則の内容を決める必要がある。アクセスネットワーク選択については、ＲＡＮ補助パラメータの内容、どのようにＲＡＮ補助パラメータをＵＥ１００に提供するか、である。トラフィック・ルーティング（基本的にはＡＰＮレベルごとのルーティングの粒度となる）については、トラフィック・ルーティング情報の内容（例えば、どのベアラを移さないべきか）、どのようにトラフィック・ルーティング情報をＵＥ１００に提供するか、である。
【０２２４】
２）ＵＥ１００がエンハンストＡＮＤＳＦを利用できる場合（ＲＡＮ規則を適用不能）
現状、エンハンストＡＮＤＳＦがネットワークに設けられており、かつＵＥ１００がサポートしている場合、エンハンストＡＮＤＳＦポリシーで使用されるＲＡＮ補助パラメータがシステムブロードキャスト又は個別シグナリングで転送されることが想定されている。よって、エンハンストＡＮＤＳＦを利用できる場合、エンハンストＡＮＤＳＦポリシーを適用すべきことは明らかである。アクセスネットワーク選択及びトラフィック・ルーティングの何れについても、ＲＡＮ補助パラメータの内容を決める必要がある。
【０２２５】
３）ＵＥ１００がＡＮＤＳＦを利用できる場合（一部のＲＡＮ規則を適用可能）
現状、ＡＮＤＳＦが設けられていない又はＵＥ１００がサポートしていない場合、ＲＡＮ補助パラメータがＷＬＡＮ識別子を伴うよう高度化されることが想定されている。よって、ＵＥ１００がＡＮＤＳＦを利用できる場合、ＲＡＮ補助情報がＷＬＡＮ識別子を伴うよう高度化されない。ＷＬＡＮ識別子は、ＡＮＤＳＦにより既に提供されているからである。
【０２２６】
しかしながら、ローミングシナリオでは、ＷＬＡＮ識別子はホームＡＮＤＳＦにより提供されており、訪問先ＲＡＮ（ｖｉｓｉｔｅｄ  ＲＡＮ）は異なる。ホームＡＮＤＳＦを利用可能である場合、訪問先ＲＡＮは自身のＷＬＡＮリストをＵＥ１００に提供する機会が無い。従って、ローミングＵＥ１００のためにＷＬＡＮ識別子を提供することが好ましい。
【０２２７】
（ＷＬＡＮアクセス規制）
ＡＮＤＳＦポリシーにより定められるＷＬＡＮアクセシビリティをＲＡＮが規制するメリット、デメリットについて検討する。
【０２２８】
・メリット：動的負荷バランシング
ＡＮＤＳＦは動的な状況を反映していない。ＲＡＮ規則が、ＲＡＮ選択ルールを満たさないＷＬＡＮを除外できる場合、アクセスネットワークを動的に選択できる。あるオペレータはそのような動的な運用を好み、他のオペレータはＡＮＤＳＦの使用のみを好むかもしれない。オペレータに十分な柔軟性を提供するために、ＲＡＮ規則がＷＬＡＮ可用性を規制可能か否かを示す１ビットの指示子をＲＡＮから提供することが可能である。
【０２２９】
アクセスネットワーク選択については、ＲＡＮのみが動的負荷バランシングの知識を有するので、ＡＮＤＳＦによりリストアップされた特定のＷＬＡＮをＲＡＮが規制することは有益である。移すトラフィックの選択については、動的な負荷状況を考慮するＲＡＮ規則の利点はわずかしかない。ＷＬＡＮへ移すのに相応しいトラフィックの種別はＡＮＤＳＦで既に定義されており、動的には変更できない。また、ＲＡＮは、ＩＰフローなどの詳細なトラフィック情報を持たないので、移すトラフィックの選択にはＡＮＤＳＦ機能を使用するだけで十分である。
【０２３０】
従って、ＡＮＤＳＦをＵＥ１００が利用できる場合、ＲＡＮ規則は、ＲＡＮとＷＬＡＮとの間のアクセスネットワークの選択に影響を与えるだけである。オペレータ制御の更なる柔軟性を提供するために、ＲＡＮは、ＲＡＮ規則が特定のＷＬＡＮのアクセシビリティを規制することができるか否かを示すことが許容されるべきである。
【０２３１】
・デメリット：
１）レイヤ間仕様の必要性
ＲＡＮ規則はＲＡＮレイヤ内であるのに対して、ＡＮＤＳＦはアプリケーションレイヤ上で利用可能である。よって、これらの２つのレイヤの相互作用について検討すべきである。例えば、ＵＥ１００は、まずＲＡＮ規則に基づいて特定のＷＬＡＮの適応性を確認する。続いて、選択されたＷＬＡＮは、更なる処理のためにＮＡＳレイヤ（ＡＮＤＳＦ）に渡されなければならない。
【０２３２】
２）ローミングケースでゴールド加入者に高い優先度が付与されない
ローミングシナリオでは、ローミングＵＥ１００が、ホームＰＬＭＮで優先されたサービスが許されるゴールド加入者（Ｇｏｌｄ  Ｓｕｂｓｃｒｉｂｅｒ）である場合、訪問先ＲＡＮからの規制により、訪問先ネットワークにおいて同じサービスグレート（Ｇｒａｄｅ  ｏｆ  Ｓｅｒｖｉｃｅ）を有しない。
【０２３３】
（ローミングＵＥに対するＳＳＩＤの提供）
非ローミングケースでは、ＡＮＤＳＦにより提供されるＷＬＡＮ識別子のみを使用することが素直である。しかしながら、ローミングケースでは、ホームＡＮＤＳＦにより提供されるＷＬＡＮ識別子と訪問先ＡＮＤＳＦにより提供されるＷＬＡＮ識別子とが異なる。ローミングＵＥ１００にＷＬＡＮ識別子に適用可能か否かは、ホームオペレータプリファレンスに依存する。よって、ローミングＵＥ１００がホームオペレータプリファレンスに基づいてＷＬＡＮ識別子を適用可能か否かを自律的に判断するかの検討が必要である。ローミングＵＥ１００にＷＬＡＮ識別子を適用可能か否かをＲＡＮが決定できるのか、ＷＬＡＮ識別子の使用がホームオペレータの決定のみに基づくのか検討の余地がある。
【０２３４】
［その他の実施形態］
上述した第１実施形態乃至第３実施形態は、別個独立して実施する場合に限らず、相互に組み合わせて実施してもよい。
【０２３５】
上述した実施形態では、セルラ通信システムの一例としてＬＴＥシステムを説明したが、ＬＴＥシステムに限定されるものではなく、ＬＴＥシステム以外のシステムに本発明を適用してもよい。
【０２３６】
［相互参照］
米国仮出願第６１／８２２１６１（２０１３年５月１０日出願）、米国仮出願第６１／９３４３９１（２０１４年１月３１日出願）の全内容が、参照により、本願明細書に組み込まれている。
【産業上の利用可能性】
【０２３７】
本発明は、移動通信分野において有用である。
【図１】
2018129855.tif 000004
【図２】
2018129855.tif 000005
【図３】
2018129855.tif 000006
【図４】
2018129855.tif 000007
【図５】
2018129855.tif 000008
【図６】
2018129855.tif 000009
【図７】
2018129855.tif 000010
【図８】
2018129855.tif 000011
【図９】
2018129855.tif 000012
【図１０】
2018129855.tif 000013
【図１１】
2018129855.tif 000014
【図１２】
2018129855.tif 000015
【図１３】
2018129855.tif 000016
【図１４】
2018129855.tif 000017
【図１５】
2018129855.tif 000018
【図１６】
2018129855.tif 000019
【図１７】
2018129855.tif 000020